(57)【要約】  本出願の実施形態は、アップリンク伝送制御方法及び装置を提供する。マイクロ基地局は、アップリンク・リソース・コンフィギュレーション要求をマクロ基地局に送信し、前記マクロ基地局は、アップリンク・リソースを前記マイクロ基地局に割り当てるために使用されるアップリンク・リソース・コンフィギュレーション指示を前記マイクロ基地局に送信し、その後、前記マイクロ基地局は、ユーザ装置に、前記アップリンク・リソースを使用してアップリンク情報の送信を指示する。前記マクロ基地局が前記アップリンク・リソースを前記マイクロ基地局に割り当てた後、前記マイクロ基地局が、前記アップリンク・リソースを使用して、前記ユーザ装置により送信されたアップリンク情報を受信し得ることが分かる。したがって、アップリンク伝送とダウンリンク伝送が分離されている場合、前記マイクロ基地局が前記ユーザ装置のダウンリンクフィードバックを取得する必要があるならば、ダウンリンクフィードバックは、前記マクロ基地局により転送される必要はない。これは、ダウンリンクフィードバック遅延を低減し、エアインターフェースを介したスループットを増加させることができる。
2018506244.tif 000002
【特許請求の範囲】
【請求項１】
マイクロ基地局であって、
アップリンク・リソース・コンフィギュレーション要求をマクロ基地局へ送信するように構成されている第１送信器と、
前記マクロ基地局により送信されたアップリンク・リソース・コンフィギュレーション指示を受信するように構成されている第１受信器であって、前記アップリンク・リソース・コンフィギュレーション指示は、アップリンク・リソースを前記マイクロ基地局に割り当てるために使用される、第１受信器と、
前記アップリンク・リソースを使用してアップリンク情報を送信するようにユーザ装置に指示するように構成されている第２送信器と、
を具備することを特徴とするマイクロ基地局。
【請求項２】
第２送信器が、前記アップリンク・リソースを使用してアップリンク情報を送信するようにユーザ装置に指示するように構成されていることは、
前記第２送信器が、ダウンリンク情報を前記ユーザ装置に送信するように特に構成されており、前記ダウンリンク情報は、前記アップリンク・リソースの指示情報を搬送する
ことを含むことを特徴とする請求項１に記載のマイクロ基地局。
【請求項３】
前記第２送信器が、ダウンリンク情報を前記ユーザ装置に送信するように特に構成されており、前記ダウンリンク情報は、前記アップリンク・リソースの指示情報を搬送することは、
前記第２送信器が、ダウンリンク情報を前記ユーザ装置に送信するように特に構成されており、前記ダウンリンク情報は、前記アップリンク・リソースの前記指示情報を搬送し、前記アップリンク・リソースの前記指示情報は、ＭＡＣレイヤ・コマンドを具備し、前記ＭＡＣレイヤ・コマンドは、前記アップリンク・リソースの時間−周波数情報と前記アップリンク情報のタイプを搬送し、前記アップリンク情報のタイプは、ハイブリッド自動再送要求（ＨＡＲＱ）フィードバック、チャネル品質指標（ＣＱＩ）、又はプリコード化マトリクス指標を具備すること
を含むことを特徴とする請求項２に記載のマイクロ基地局。
【請求項４】
第２送信器が前記アップリンク・リソースを使用してアップリンク情報を送信するようにユーザ装置に指示するように構成されていることは、
前記第２送信器が、前記アップリンク・リソースの指示情報を前記ユーザ装置にブロードキャストするように特に構成されていること
を含むことを特徴とする請求項１に記載のマイクロ基地局。
【請求項５】
前記第２送信器が、前記アップリンク・リソースの指示情報を前記ユーザ装置にブロードキャストするように特に構成されていることは、
前記第２送信器が、前記アップリンク・リソースの前記指示情報を前記ユーザ装置にブロードキャストするように特に構成されており、前記アップリンク・リソースの前記指示情報は、ＭＡＣレイヤ・コマンドを具備し、前記ＭＡＣレイヤ・コマンドは、前記アップリンク・リソースのビデオ情報と前記アップリンク情報のタイプを搬送し、アップリンク情報の前記タイプは、ＨＡＲＱフィードバック、ＣＱＩ、又はＰＭＩを具備すること
を含むことを特徴とする請求項４に記載のマイクロ基地局。
【請求項６】
前記第１送信器は、
前記ユーザ装置が前記アップリンク・リソースを使用して前記アップリンク情報を送信するように指示した後、前記マクロ基地局がアップリンク・リソースを前記マイクロ基地局に再割り当てできるように、前記ユーザ装置により送信された前記アップリンク情報の品質が悪いことが判定された場合、アップリンク情報品質パラメータを前記マクロ基地局に送信するようにさらに構成され、
前記第１受信器は、前記マクロ基地局により送信されたアップリンク・リソース変更メッセージを受信するようにさらに構成されている
ことを特徴とする請求項１から５のいずれか一項に記載のマイクロ基地局。
【請求項７】
前記第１送信器は、前記マクロ基地局により送信された前記アップリンク・リソース・コンフィギュレーション指示が受信された後、アップリンク・リソース・コンフィギュレーション・アクノリッジメッセージを前記マクロ基地局に送信し、前記マクロ基地局により送信されたアップリンク・リソース変更メッセージが受信された後、アップリンク・リソース・コンフィギュレーション変更アクノリッジメッセージを前記マクロ基地局に送信するようにさらに構成されている
ことを特徴とする請求項１から６のいずれか一項に記載のマイクロ基地局。
【請求項８】
複数のユーザ装置が存在する場合、前記アップリンク・リソースを各ユーザ装置に割り当てるように構成されている第１プロセッサをさらに具備し、
前記第２送信器が、前記アップリンク・リソースを使用してアップリンク情報を送信するようにユーザ装置に指示するように構成されていることは、
前記第２送信器が、各ユーザ装置に、各ユーザ装置に割り当てられた前記アップリンク・リソースを使用してアップリンク情報を送信するように、指示するように特に構成されていることを含む
ことを特徴とする請求項１から７のいずれか一項に記載のマイクロ基地局。
【請求項９】
第１送信器がアップリンク・リソース・コンフィギュレーション要求をマクロ基地局へ送信するように構成されていることは、
前記第１送信器は、前記基地局のカバレージ下のユーザの数が第１の値である場合、第１アップリンク・リソースを要求するためのコンフィギュレーション要求を前記マクロ基地局に送信し、前記基地局のカバレージ下のユーザの数が第２の値である場合、第２アップリンク・リソースを要求するためのコンフィギュレーション要求を前記マクロ基地局に送信するように特に構成されており、前記第１の値が前記第２の値より大きい場合、前記第１アップリンク・リソースの帯域幅は、前記第２アップリンク・リソースの帯域幅より大きく、前記第１情報が前記第２の値より小さい場合、前記第１アップリンク・リソースの前記帯域幅は、前記第２アップリンク・リソースの前記帯域幅より小さいことを含む
ことを特徴とする請求項１から８のいずれか一項に記載のマイクロ基地局。
【請求項１０】
マクロ基地局であって、
マイクロ基地局により送信されたアップリンク・リソース・コンフィギュレーション要求を受信するように構成されている第２受信器と、
前記アップリンク・リソース・コンフィギュレーション要求に従って、アップリンク・リソース・コンフィギュレーション指示を前記マイクロ基地局に送信するように構成されている第３送信器であって、前記アップリンク・リソース・コンフィギュレーション指示は、アップリンク・リソースを前記マイクロ基地局に割り当てるために使用され、前記アップリンク・リソースは、アップリンク情報を前記マイクロ基地局に送信するために、ユーザ装置により使用される、第３送信器と、
を具備することを特徴とするマクロ基地局。
【請求項１１】
第３送信器が、アップリンク・リソース・コンフィギュレーション指示を前記マイクロ基地局へ送信するように構成されていることは、
前記第３送信器が、前記アップリンク・リソース・コンフィギュレーション指示を前記マイクロ基地局へ送信するように構成されており、前記アップリンク・リソース・コンフィギュレーション指示は、前記アップリンク・リソースの開始フレーム番号と前記アップリンク・リソースのサブフレーム番号を具備することを含む
ことを特徴とする請求項１０に記載のマクロ基地局。
【請求項１２】
第３送信器が、アップリンク・リソース・コンフィギュレーション指示を前記マイクロ基地局へ送信するように構成されていることは、
前記第３送信器が、前記アップリンク・リソース・コンフィギュレーション指示を前記マイクロ基地局へ送信するように特に構成されており、前記アップリンク・リソース・コンフィギュレーション指示は、前記アップリンク・リソースの前記開始フレーム番号、前記アップリンク・リソースの前記サブフレーム番号、シンボル位置、及び周波数ドメイン・物理リソースブロック（ＰＲＢ）位置、を具備する
ことを含むことを特徴とする請求項１１に記載のマクロ基地局。
【請求項１３】
前記第２受信器は、前記マイクロ基地局により送信されたアップリンク情報品質パラメータを受信するようにさらに構成されており、
第２プロセッサは、前記アップリンク情報品質パラメータに従って、前記アップリンク情報の品質を判定するように構成されており、
前記第３送信器は、前記アップリンク情報品質パラメータに従って、前記アップリンク情報の品質が悪いと判定された場合、アップリンク・リソース変更メッセージを前記マイクロ基地局へ送信するようにさらに構成され、前記アップリンク・リソース変更メッセージは、変更されたアップリンク・リソース指示を搬送する
ことを特徴とする請求項１１に記載のマクロ基地局。
【請求項１４】
アップリンク伝送制御方法であって、
マイクロ基地局により、アップリンク・リソース・コンフィギュレーション要求をマクロ基地局へ送信するステップと、
前記マイクロ基地局により、前記マクロ基地局により送信されたアップリンク・リソース・コンフィギュレーション指示を受信するステップであって、前記アップリンク・リソース・コンフィギュレーション指示は、アップリンク・リソースを前記マイクロ基地局に割り当てるために使用される、ステップと、
前記マイクロ基地局により、ユーザ装置に、前記アップリンク・リソースを使用してアップリンク情報を送信するように、指示するステップと、
を具備することを特徴とするアップリンク伝送制御方法。
【請求項１５】
前記マイクロ基地局により、ユーザ装置に、前記アップリンク・リソースを使用してアップリンク情報を送信するように、指示する前記ステップは、
前記マイクロ基地局により、ダウンリンク情報を前記ユーザ装置に送信するステップであって、前記ダウンリンク情報は、前記アップリンク・リソースの指示情報を搬送する、ステップ
を具備することを特徴とする請求項１４に記載の方法。
【請求項１６】
前記マイクロ基地局により、ユーザ装置に、前記アップリンク・リソースを使用してアップリンク情報を送信するように、指示する前記ステップは、
前記マイクロ基地局により、前記アップリンク・リソースの指示情報を前記ユーザ装置にブロードキャストするステップ
を具備することを特徴とする請求項１４に記載の方法。
【請求項１７】
前記アップリンク・リソースの指示情報は、
ＭＡＣレイヤ・コマンドを具備し、前記ＭＡＣレイヤ・コマンドは、前記アップリンク・リソースのビデオ情報と前記アップリンク情報のタイプを搬送し、前記アップリンク情報のタイプは、ハイブリッド自動再送要求（ＨＡＲＱ）フィードバック、チャネル品質指標（ＣＱＩ）、又はプリコード化マトリクス指標を具備する
ことを特徴とする請求項１５又は１６に記載の方法。
【請求項１８】
前記マイクロ基地局により、ユーザ装置に、前記アップリンク・リソースを使用してアップリンク情報を送信するように、指示する前記ステップの後に、前記方法は、
前記マクロ基地局がアップリンク・リソースを前記マイクロ基地局に再割り当てできるように、前記マイクロ基地局が、前記ユーザ装置により送信された前記受信されたアップリンク情報の品質が悪いと判定した場合、前記マイクロ基地局により、アップリンク情報品質パラメータを前記マクロ基地局へ送信するステップと、
前記マイクロ基地局により、前記マクロ基地局により送信されたアップリンク・リソース変更メッセージを受信するステップと、
をさらに具備することを特徴とする請求項１４から１７のいずれか一項に記載の方法。
【請求項１９】
前記マイクロ基地局により、前記マクロ基地局により送信されたアップリンク・リソース・コンフィギュレーション指示を受信する前記ステップの後に、前記方法は、
前記マイクロ基地局により、アップリンク・リソース・コンフィギュレーション・アクノリッジメッセージを前記マクロ基地局へ送信するステップ
をさらに具備し、
前記マイクロ基地局により、前記マクロ基地局により送信されたアップリンク・リソース変更メッセージを受信する前記ステップの後に、前記方法は、
前記マイクロ基地局により、アップリンク・リソース・コンフィギュレーション変更アクノリッジメッセージを前記マクロ基地局に送信するステップ
をさらに具備することを特徴とする請求項１４から１８のいずれか一項に記載の方法。
【請求項２０】
前記マイクロ基地局により、ユーザ装置に、前記アップリンク・リソースを使用してアップリンク情報を送信するように、指示する前記ステップの前に、前記方法は、
複数のユーザ装置が存在する場合、前記マイクロ基地局により、前記アップリンク・リソースを各ユーザ装置に割り当てるステップ
をさらに具備し、
前記マイクロ基地局により、ユーザ装置に、前記アップリンク・リソースを使用してアップリンク情報を送信するように、指示する前記ステップは、
前記マイクロ基地局により、各ユーザ装置に、各ユーザ装置に割り当てられた前記アップリンク・リソースを使用してアップリンク情報を送信するように、指示するステップ
を具備することを特徴とする請求項１４から１９のいずれか一項に記載の方法。
【請求項２１】
マイクロ基地局により、アップリンク・リソース・コンフィギュレーション要求をマクロ基地局へ送信する前記ステップは、
前記マイクロ基地局のカバレージ下のユーザの数が第１の値である場合、前記マイクロ基地局により、第１アップリンク・リソースを要求するためのコンフィギュレーション要求を前記マクロ基地局に送信するステップと、前記マイクロ基地局のカバレージ下のユーザの前記数が第２の値である場合、前記マイクロ基地局により、第２アップリンク・リソースを要求するためのコンフィギュレーション要求を前記マクロ基地局へ送信するステップと、
を具備し、
前記第１の値が前記第２の値より大きい場合、前記第１アップリンク・リソースの帯域幅は、前記第２アップリンク・リソースの帯域幅より大きく、前記第１情報が前記第２の値より小さい場合、前記第１アップリンク・リソースの前記帯域幅は、前記第２アップリンク・リソースの前記帯域幅より小さい
ことを特徴とする請求項１４から２０のいずれか一項に記載の方法。
【請求項２２】
アップリンク伝送制御方法であって、
マクロ基地局により、マイクロ基地局により送信されたアップリンク・リソース・コンフィギュレーション要求を受信するステップと、
前記マクロ基地局により、前記アップリンク・リソース・コンフィギュレーション要求にしたがって、アップリンク・リソース・コンフィギュレーション指示を前記マイクロ基地局に送信するステップであって、前記アップリンク・リソース・コンフィギュレーション指示は、アップリンク・リソースを前記マイクロ基地局に割り当てるために使用され、前記アップリンク・リソースは、アップリンク情報を前記マイクロ基地局に送信するために、ユーザ装置により使用される、ステップと、
を具備することを特徴とするアップリンク伝送制御方法。
【請求項２３】
アップリンク・リソース・コンフィギュレーション指示を前記マイクロ基地局へ送信する前記ステップは、
前記アップリンク・リソース・コンフィギュレーション指示を前記マイクロ基地局へ送信するステップであって、前記アップリンク・リソース・コンフィギュレーション指示は、前記アップリンク・リソースの開始フレーム番号、前記アップリンク・リソースのサブフレーム番号、シンボル位置、及び周波数ドメイン・物理リソースブロック（ＰＲＢ）位置を具備する、ステップ、
を具備することを特徴とする請求項２２に記載の方法。
【請求項２４】
前記マイクロ基地局により送信されたアップリンク情報品質パラメータを受信するステップと、
前記アップリンク情報品質パラメータに従って、前記アップリンク情報の品質が悪いと判定された場合、アップリンク・リソース変更メッセージを前記マイクロ基地局へ送信するステップであって、前記アップリンク・リソース変更メッセージは、変更されたアップリンク・リソース指示を搬送する、ステップと、
をさらに具備することを特徴とする請求項２３に記載の方法。
【発明の詳細な説明】
【技術分野】
【０００１】
本出願は、通信分野に関連し、特に、アップリンク伝送制御方法及び装置に関する。
【背景技術】
【０００２】
無線技術の発達に伴い、将来の無線通信において、アップリンク伝送とダウンリンク伝送が分離された通信技術が登場し得る。しかし、アップリンク伝送とダウンリンク伝送との間の分離は、ダウンリンクフィードバック遅延を引き起こす可能性がある。
【０００３】
例えば、高周波数基地局は、ダウンリンク伝送を実行し、マクロ基地局は、ユーザ装置により送信されたダウンリンク伝送のフィードバック情報を受信し、前記マクロ基地局は、前記フィードバック情報を前記高周波数基地局に送信する。フィードバック情報は、前記マクロ基地局により転送されるため、前記高周波数基地局によるフィードバック情報の受信における遅延が増加する。これは、エアインターフェースを介したスループットの低下をもたらす。
【発明の概要】
【課題を解決するための手段】
【０００４】
本願の実施形態は、アップリンク伝送とダウンリンク伝送とが分離された場合のフィードバック情報遅延により、エアインターフェースを介したスループットが低下するという問題を解決するアップリンク伝送制御方法を提供する。
【０００５】
前述の目的を達成するために、本発明の実施形態は、以下の技術的解決策を提供する。
【０００６】
本出願の第１の態様は、マイクロ基地局を提供し、
アップリンク・リソース・コンフィギュレーション要求をマクロ基地局へ送信するように構成されている第１送信器と、
前記マクロ基地局により送信されたアップリンク・リソース・コンフィギュレーション指示を受信するように構成されている第１受信器であって、前記アップリンク・リソース・コンフィギュレーション指示は、アップリンク・リソースを前記マイクロ基地局に割り当てるために使用される、第１受信器と、
前記アップリンク・リソースを使用してアップリンク情報を送信するようにユーザ装置に指示するように構成されている第２送信器と、
を含む。
【０００７】
本出願の第１の態様の第１の実施形態において、第２送信器が、前記アップリンク・リソースを使用してアップリンク情報を送信するようにユーザ装置に指示するように構成されていることは、
前記第２送信器が、ダウンリンク情報を前記ユーザ装置に送信するように特に構成されており、前記ダウンリンク情報は、前記アップリンク・リソースの指示情報を搬送すること、を含む。
【０００８】
本出願の第１の態様の第２の実施形態において、前記第２送信器が、ダウンリンク情報を前記ユーザ装置に送信するように特に構成されており、前記ダウンリンク情報は、前記アップリンク・リソースの指示情報を搬送することは、
前記第２送信器が、ダウンリンク情報を前記ユーザ装置に送信するように特に構成され、前記ダウンリンク情報は、前記アップリンク・リソースの前記指示情報を搬送し、前記アップリンク・リソースの指示情報が、ＭＡＣレイヤ・コマンドを含み、前記ＭＡＣレイヤ・コマンドは、前記アップリンク・リソースの時間−周波数情報と前記アップリンク情報のタイプを搬送し、アップリンク情報の前記タイプは、ハイブリッド自動再送要求（ＨＡＲＱ）フィードバック、チャネル品質指標（ＣＱＩ）、又はプリコード化マトリクス指標を含むこと、を含む。
【０００９】
本出願の第１の態様の第３の実施形態において、第２送信器が前記アップリンク・リソースを使用してアップリンク情報を送信するようにユーザ装置に指示するように構成されていることは、
前記第２送信器が、前記アップリンク・リソースの指示情報を前記ユーザ装置にブロードキャストするように特に構成されていること
を含む。
【００１０】
本出願の第１の態様の第４の実施形態において、前記第２送信器が、前記アップリンク・リソースの指示情報を前記ユーザ装置にブロードキャストするように特に構成されていることは、
前記第２送信器が、前記アップリンク・リソースの前記指示情報を前記ユーザ装置にブロードキャストするように特に構成されており、前記アップリンク・リソースの指示情報は、ＭＡＣレイヤ・コマンドを含み、前記ＭＡＣレイヤ・コマンドは、前記アップリンク・リソースのビデオ情報と前記アップリンク情報のタイプを搬送し、前記アップリンク情報の前記タイプは、ＨＡＲＱフィードバック、ＣＱＩ、又はＰＭＩを含むこと、を含む。
【００１１】
本出願の第１の態様の第５の実施形態において、前記第１送信器は、
前記ユーザ装置が前記アップリンク・リソースを使用して前記アップリンク情報を送信するように指示した後、前記マクロ基地局がアップリンク・リソースを前記マイクロ基地局に再割り当てられるように、前記ユーザ装置により送信された前記アップリンク情報の品質が悪いことが判定された場合、アップリンク情報品質パラメータを前記マクロ基地局に送信するようにさらに構成され、
前記第１受信器は、前記マクロ基地局により送信されたアップリンク・リソース変更メッセージを受信するようにさらに構成されている。
【００１２】
本出願の第１の態様の第６の実施形態において、前記第１送信器は、前記マクロ基地局により送信された前記アップリンク・リソース・コンフィギュレーション指示が受信された後、アップリンク・リソース・コンフィギュレーション・アクノリッジメッセージを前記マクロ基地局に送信し、前記マクロ基地局により送信されたアップリンク・リソース変更メッセージが受信された後、アップリンク・リソース・コンフィギュレーション変更アクノリッジメッセージを前記マクロ基地局に送信するようにさらに構成されている。
【００１３】
本出願の第１の態様の第７の実施形態において、前記マイクロ基地局は、
複数のユーザ装置が存在する場合、前記アップリンク・リソースを各ユーザ装置に割り当てるように構成されている第１プロセッサをさらに具備し、
前記第２送信器が、前記アップリンク・リソースを使用してアップリンク情報を送信するようにユーザ装置に指示するように構成されていることは、
前記第２送信器が、各ユーザ装置に、各ユーザ装置に割り当てられた前記アップリンク・リソースを使用してアップリンク情報を送信するように、指示するように特に構成されていることを含む。
【００１４】
本出願の第１の態様の第８の実施形態において、第１送信器が、アップリンク・リソース・コンフィギュレーション要求をマクロ基地局へ送信するように構成されていることは、
前記第１送信器は、前記基地局のカバレージ下のユーザの数が第１の値である場合、第１アップリンク・リソースを要求するためのコンフィギュレーション要求を前記マクロ基地局に送信し、前記基地局のカバレージ下のユーザの数が第２の値である場合、第２アップリンク・リソースを要求するためのコンフィギュレーション要求を前記マクロ基地局に送信するように構成されており、前記第１の値が前記第２の値より大きい場合、前記第１アップリンク・リソースの帯域幅は、前記第２アップリンク・リソースの帯域幅より大きく、前記第１情報が前記第２の値より小さい場合、前記第１アップリンク・リソースの前記帯域幅は、前記第２アップリンク・リソースの前記帯域幅より小さいことを含む。
【００１５】
本出願の第２の態様は、マクロ基地局を提供し、
マイクロ基地局により送信されたアップリンク・リソース・コンフィギュレーション要求を受信するように構成されている第２受信器と、
前記アップリンク・リソース・コンフィギュレーション要求に従って、アップリンク・リソース・コンフィギュレーション指示を前記マイクロ基地局に送信するように構成されている第３送信器であって、前記アップリンク・リソース・コンフィギュレーション指示は、アップリンク・リソースを前記マイクロ基地局に割り当てるために使用され、前記アップリンク・リソースは、アップリンク情報を前記マイクロ基地局に送信するために、ユーザ装置により使用される、第３送信器と、
を含む。
【００１６】
本出願の第２の態様の第１の実施形態において、第３送信器が、アップリンク・リソース・コンフィギュレーション指示を前記マイクロ基地局へ送信するように構成されていることは、
前記第３送信器が、前記アップリンク・リソース・コンフィギュレーション指示を前記マイクロ基地局へ送信するように特に構成されており、前記アップリンク・リソース・コンフィギュレーション指示は、前記アップリンク・リソースの開始フレーム番号と前記アップリンク・リソースのサブフレーム番号を含むこと、を含む。
【００１７】
本出願の第２の態様の第２の実施形態において、第３送信器が、アップリンク・リソース・コンフィギュレーション指示を前記マイクロ基地局へ送信するように構成されていることは、
前記第３送信器が、前記アップリンク・リソース・コンフィギュレーション指示を前記マイクロ基地局へ送信するように構成されており、前記アップリンク・リソース・コンフィギュレーション指示が、前記アップリンク・リソースの前記開始フレーム番号、前記アップリンク・リソースの前記サブフレーム番号、シンボル位置、及び周波数ドメイン・物理リソースブロック（ＰＲＢ）位置を含むこと、を含む。
【００１８】
本出願の第２の態様の第３の実施形態において、前記第２受信器は、前記マイクロ基地局により送信されたアップリンク情報品質パラメータを受信するようにさらに構成されており、
第２プロセッサは、前記アップリンク情報品質パラメータに従って、前記アップリンク情報の品質を判定するように構成されており、
前記第３送信器は、前記アップリンク情報品質パラメータに従って、前記アップリンク情報の品質が悪いと判定された場合、アップリンク・リソース変更メッセージを前記マイクロ基地局へ送信するようにさらに構成され、前記アップリンク・リソース変更メッセージは、変更されたアップリンク・リソース指示を搬送する。
【００１９】
本出願の第３の態様は、アップリンク伝送制御方法を提供し、
マイクロ基地局により、アップリンク・リソース・コンフィギュレーション要求をマクロ基地局へ送信するステップと、
前記マイクロ基地局により、前記マクロ基地局により送信されたアップリンク・リソース・コンフィギュレーション指示を受信するステップであって、前記アップリンク・リソース・コンフィギュレーション指示は、アップリンク・リソースを前記マイクロ基地局に割り当てるために使用される、ステップと、
前記マイクロ基地局により、ユーザ装置に、前記アップリンク・リソースを使用してアップリンク情報を送信するように、指示するステップと、
を含む。
【００２０】
本出願の第３の態様の第１の実施形態において、前記マイクロ基地局により、ユーザ装置に、前記アップリンク・リソースを使用してアップリンク情報を送信するように、指示する前記ステップは、
前記マイクロ基地局により、ダウンリンク情報を前記ユーザ装置に送信するステップであって、前記ダウンリンク情報は、前記アップリンク・リソースの指示情報を搬送する、ステップ
を含む。
【００２１】
本出願の第３の態様の第２の実施形態において、前記マイクロ基地局により、ユーザ装置に、前記アップリンク・リソースを使用してアップリンク情報を送信するように、指示する前記ステップは、
前記マイクロ基地局により、前記アップリンク・リソースの指示情報を前記ユーザ装置にブロードキャストするステップ
を含む。
【００２２】
本出願の第３の態様の第３の実施形態において、前記アップリンク・リソースの指示情報は、
ＭＡＣレイヤ・コマンドを含み、前記ＭＡＣレイヤ・コマンドは、前記アップリンク・リソースのビデオ情報と前記アップリンク情報のタイプを搬送し、アップリンク情報の前記タイプは、ハイブリッド自動再送要求（ＨＡＲＱ）フィードバック、チャネル品質指標（ＣＱＩ）、又はプリコード化マトリクス指標を含む。
【００２３】
本出願の第３の態様の第４の実施形態において、前記マイクロ基地局により、ユーザ装置に、前記アップリンク・リソースを使用してアップリンク情報を送信するように、指示する前記ステップの後に、前記方法は、
前記マクロ基地局がアップリンク・リソースを前記マイクロ基地局に再割り当てできるように、前記マイクロ基地局が、前記ユーザ装置により送信された前記受信されたアップリンク情報の品質が悪いと判定した場合、前記マイクロ基地局により、アップリンク情報品質パラメータを前記マクロ基地局へ送信するステップと、
前記マイクロ基地局により、前記マクロ基地局により送信されたアップリンク・リソース変更メッセージを受信するステップと、
をさらに含む。
【００２４】
本出願の第３の態様の第５の実施形態において、前記マイクロ基地局により、前記マクロ基地局により送信されたアップリンク・リソース・コンフィギュレーション指示を受信する前記ステップの後に、前記方法は、
前記マイクロ基地局により、アップリンク・リソース・コンフィギュレーション・アクノリッジメッセージを前記マクロ基地局へ送信するステップ
をさらに含み、
前記マイクロ基地局により、前記マクロ基地局により送信されたアップリンク・リソース変更メッセージを受信する前記ステップの後に、前記方法は、
前記マイクロ基地局により、アップリンク・リソース・コンフィギュレーション変更アクノリッジメッセージを前記マクロ基地局に送信するステップ
をさらに含む。
【００２５】
本出願の第３の態様の第６の実施形態において、前記マイクロ基地局により、ユーザ装置に、前記アップリンク・リソースを使用してアップリンク情報を送信するように、指示する前記ステップの前に、前記方法は、
複数のユーザ装置が存在する場合、前記マイクロ基地局により、前記アップリンク・リソースを各ユーザ装置に割り当てるステップ
をさらに含み、
前記マイクロ基地局により、ユーザ装置に、前記アップリンク・リソースを使用してアップリンク情報を送信するように、指示する前記ステップは、
前記マイクロ基地局により、各ユーザ装置に、各ユーザ装置に割り当てられた前記アップリンク・リソースを使用してアップリンク情報を送信するように、指示するステップ
を含む。
【００２６】
本出願の第３の態様の第７の実施形態において、マイクロ基地局により、アップリンク・リソース・コンフィギュレーション要求をマクロ基地局へ送信する前記ステップは、
前記マイクロ基地局のカバレージ下のユーザの数が第１の値である場合、前記マイクロ基地局により、第１アップリンク・リソースを要求するためのコンフィギュレーション要求を前記マクロ基地局に送信するステップと、前記マイクロ基地局のカバレージ下のユーザの前記数が第２の値である場合、前記マイクロ基地局により、第２アップリンク・リソースを要求するためのコンフィギュレーション要求を前記マクロ基地局へ送信するステップと、を含み、
前記第１の値が前記第２の値より大きい場合、前記第１アップリンク・リソースの帯域幅は、前記第２アップリンク・リソースの帯域幅より大きく、前記第１情報が前記第２の値より小さい場合、前記第１アップリンク・リソースの前記帯域幅は、前記第２アップリンク・リソースの前記帯域幅より小さい。
【００２７】
本出願の第４の態様は、アップリンク伝送制御方法を提供し、
マクロ基地局により、マイクロ基地局により送信されたアップリンク・リソース・コンフィギュレーション要求を受信するステップと、
前記マクロ基地局により、前記アップリンク・リソース・コンフィギュレーション要求にしたがって、アップリンク・リソース・コンフィギュレーション指示を前記マイクロ基地局に送信するステップであって、前記アップリンク・リソース・コンフィギュレーション指示は、アップリンク・リソースを前記マイクロ基地局に割り当てるために使用され、前記アップリンク・リソースは、アップリンク情報を前記マイクロ基地局に送信するために、ユーザ装置により使用される、ステップと、
を含む。
【００２８】
本出願の第４の態様の第１の実施形態において、アップリンク・リソース・コンフィギュレーション指示をマイクロ基地局へ送信する前記ステップは、
前記アップリンク・リソース・コンフィギュレーション指示を前記マイクロ基地局へ送信するステップであって、前記アップリンク・リソース・コンフィギュレーション指示は、前記アップリンク・リソースの開始フレーム番号、前記アップリンク・リソースのサブフレーム番号、シンボル位置、及び周波数ドメイン・物理リソースブロック（ＰＲＢ）位置を含む、ステップ
を含む。
【００２９】
本出願の第４の態様の第２の実施形態において、前記方法は、
前記マイクロ基地局により送信されたアップリンク情報品質パラメータを受信するステップと、
前記アップリンク情報品質パラメータに従って、前記アップリンク情報の品質が悪いと判定された場合、アップリンク・リソース変更メッセージを前記マイクロ基地局へ送信するステップであって、前記アップリンク・リソース変更メッセージは、変更されたアップリンク・リソース指示を搬送する、ステップと、
をさらに含む。
【００３０】
本出願の実施形態において開示されるアップリンク伝送制御方法及び装置によると、マイクロ基地局は、アップリンク・リソース・コンフィギュレーション要求をマクロ基地局に送信し、前記マクロ基地局は、前記マイクロ基地局に、アップリンク・リソースを前記マイクロ基地局に割り当てるために使用されるアップリンク・リソース・コンフィギュレーション指示を送信し、その後前記マイクロ基地局は、ユーザ装置に、前記アップリンク・リソースを使用してアップリンク情報を送信するように指示する。前記マクロ基地局が前記アップリンク・リソースを前記マイクロ基地局に割り当てた後、前記マイクロ基地局は、前記ユーザ装置により送信された前記アップリンク情報を受信するために、前記アップリンク・リソースを使用し得ることが分かり得る。したがって、アップリンク伝送とダウンリンク伝送が分離されている場合、前記マイクロ基地局が前記ユーザ装置のダウンリンクフィードバックを取得する必要がある場合には、ダウンリンクフィードバックは、前記マクロ基地局により転送される必要はない。これにより、ダウンリンクフィードバック遅延を減少でき、エアインターフェースを介したスループットを増加することができる。
【００３１】
本発明の実施形態における、または従来技術における技術的ソリューションをより明瞭に説明するために、以下に、それらの実施形態、または従来技術を説明するのに必要な添付の図面を簡単に概説する。明らかに、以下の説明における添付の図面は、本発明のいくつかの実施形態を示すに過ぎず、当業者は、創造的な取り組みなしに、添付の図面に従って他の図面をさらに得ることができる。
【図面の簡単な説明】
【００３２】
【図１】図１は、アップリンク伝送とダウンリンク伝送が分離されたシナリオにおけるマクロ基地局とマイクロ基地局の概略図である。
【図２】図２は、本発明の一実施形態に係るマイクロ基地局の概略構成図である。
【図３】図３は、本発明の一実施形態に係る別のマイクロ基地局の概略構成図である。
【図４】図４は、本発明の一実施形態に係るマクロ基地局の概略構成図である。
【図５】図５は、本発明の実施形態に開示されたマクロ基地局によって、第１高周波数基地局および第２高周波数基地局に別々に割り当てられ得る、同じフレーム内の異なるシンボルの概略図である。
【図６】図６は、本発明の一実施形態に係るアップリンク伝送制御方法のフローチャートである。
【図７】図７は、本発明の一実施形態に係る別のアップリンク伝送制御方法のフローチャートである。
【発明を実施するための形態】
【００３３】
本出願の実施形態は、図１に示されているようにアップリンク伝送とダウンリンク伝送が分離されているシナリオに適用可能なマイクロ基地局及びマクロ基地局を開示する。マイクロ基地局は、これに限定されるものではないが、高周波数基地局であり得る。具体的には、マイクロ基地局は、ミリ波を使用してダウンリンク通信を実行する基地局であり得る。マクロ基地局は、ユーザ装置により送信されたアップリンクデータを受信できる。一般に、マクロ基地局は、複数のマイクロ基地局のうちの１つと同じ場所に配置され、他のマイクロ基地局とは別に設置される。
【００３４】
以下では、本出願の実施形態における添付の図面を参照しながら、本出願の実施形態における技術的ソリューションをより明確にかつ完全に説明する。説明される実施形態は、本出願の実施形態のすべてではなく、単にいくつかの実施形態を示すものにすぎないことは明らかである。本出願の実施形態に基づき当業者が創造的な取り組み無しに得られる他のすべての実施形態は、本出願の保護範囲に含まれるものとする。
【００３５】
この出願の実施形態は、第１送信器２０１、第１受信器２０２、及び第２送信器２０３を含んでいる、図２に示されているマイクロ基地局を開示する。
【００３６】
第１送信器２０１は、アップリンク・リソース・コンフィギュレーション要求をマクロ基地局へ送信するように構成されており、オプションとして、マイクロ基地局が初期化された場合に、アップリンク・リソース・コンフィギュレーション要求をマクロ基地局へ送信してもよい。第１受信器２０２は、マクロ基地局により送信されたアップリンク・リソース・コンフィギュレーション指示を受信するように構成されている。アップリンク・リソース・コンフィギュレーション指示は、アップリンク・リソースをマイクロ基地局に割り当てるために使用される。マクロ基地局により送信されたアップリンク・リソース・コンフィギュレーション指示が受信された後、第１送信器は、アップリンク・リソース・コンフィギュレーション・アクノリッジメッセージをマクロ基地局に送信するようにさらに構成されている。第２送信器２０３は、アップリンク・リソースを使用してアップリンク情報を送信するようにユーザ装置に指示するように構成されている。
【００３７】
さらに、オプションとして、第２送信器２０３が、アップリンク・リソースを使用してアップリンク情報を送信するように、ユーザ装置に指示する具体的な実施形態は、ダウンリンク情報をユーザ装置へ送信するステップであって、ダウンリンク情報は、アップリンク・リソースの指示情報を搬送する、ステップ、又はアップリンク・リソースの指示情報をユーザ装置にブロードキャストするステップであり得、さらに、アップリンク・リソースの指示情報は、ＭＡＣレイヤ・コマンドであってよく、ＭＡＣレイヤ・コマンドは、アップリンク・リソースの時間−周波数情報とアップリンク情報のタイプを搬送する。当然、アップリンク・リソースの指示情報は、物理レイヤにより生成されてもよい。
【００３８】
アップリンク情報にタイプは、ハイブリッド自動再送要求（Hybrid Automatic Repeat Request, HARQ）フィードバック、チャネル品質指標（Channel Quality Indicator, CQI）、又はプリコード化マトリクス指標（Precoding Matrix Index, PMI）であることに留意すべきである。その目的は、マイクロ基地局のダウンリンク通信効率を改善するために、割り当てられたアップリンク・リソースを使用して、マイクロ基地局のダウンリンク通信において必要とされるフィードバック情報を送信してフィードバック遅延を低減することである。他のアップリンク情報は、マクロ基地局にまず送信され得、その後、マクロ基地局により、マイクロ基地局に転送される。
【００３９】
この実施形態におけるマイクロ基地局は、マクロ基地局から能動的にアップリンク・リソースを要求し、ユーザに、マクロ基地局によりユーザに割り当てられたアップリンク・リソースを使用してアップリンク情報を送信するように指示し得る。したがって、図１において示されたシナリオでは、マイクロ基地局は、ダウンリンクフィードバック遅延を低減し、エアインターフェースを介したスループットを増加させるために、ユーザ装置により送信されたダウンリンクフィードバックを受信するために低周波数を使用し得る。
【００４０】
この出願の実施形態は、第１送信器３０１、第１受信器３０２、第２送信器３０３、及び第１プロセッサ３０４を含む、図３に示されている別のマイクロ基地局を開示する。上記実施形態において説明された機能を有する他に、この実施形態において、第１送信器３０１、第１受信器３０２、及び第２送信器３０３も他の機能を有する。
【００４１】
第１送信器３０１は、マクロ基地局がアップリンク・リソースをマイクロ基地局に再割り当てできるように、ユーザ装置が、アップリンク・リソースを使用してアップリンク情報を送信するように指示された後、ユーザ装置により送信されたアップリンク情報の品質が悪いと判定された場合、アップリンク情報品質パラメータをマクロ基地局に送信するようにさらに構成され得る。
【００４２】
ユーザ装置により送信されたアップリンク情報の品質が悪いと判断されるための条件は、受信されたＣＱＩがしきい値より小さい場合であり得、チャネル品質は比較的悪いと判断される。しきい値は、通常、エラーレートを使用して設定される。
【００４３】
第１受信器３０２は、マクロ基地局により送信されたアップリンク・リソース変更メッセージを受信するようにさらに構成され得る。
【００４４】
第１送信器３０１は、マクロ基地局により送信されたアップリンク・リソース変更メッセージを受信した後、アップリンク・リソース・コンフィギュレーション変更アクノリッジメッセージをマクロ基地局に送信するようにさらに構成されている。
【００４５】
この実施形態において、第１プロセッサ３０４は、複数のユーザ装置が存在する場合、アップリンク・リソースを各ユーザ装置に割り当てるように構成されている。この場合において、第２送信器が、ユーザ装置に、アップリンク・リソースを使用してアップリンク情報を送信するように指示する具体的な実装は、各ユーザ装置に、各ユーザ装置に割り当てられたアップリンク・リソースを使用してアップリンク情報を送信するように指示することであり得る。具体的な指示様式については、前述の実施形態を参照し得る。
【００４６】
加えて、オプションとして、この実施形態において、第１送信器３０１が、アップリンク・リソース・コンフィギュレーション要求をマクロ基地局に送信する具体的な実装は、基地局のカバレージ内のユーザの数が第１の値である場合、第１アップリンク・リソースを要求するためのコンフィギュレーション要求をマクロ基地局に送信し、基地局のカバレージ下のユーザの数が第２の値である場合に、第２アップリンク・リソースを要求するためのコンフィギュレーション要求をマクロ基地局に送信することであり得る。第１の値が第２の値より大きい場合、第１アップリンク・リソースの帯域幅は、第２アップリンク・リソースの帯域幅より大きく、第１情報が第２の値より小さい場合、第１アップリンク・リソースの帯域幅は、第２アップリンク・リソースの帯域幅より小さい。
【００４７】
アップリンク情報品質が高くない場合、この実施形態において開示されたマイクロ基地局は、アップリンク・リソースの置換を要求するために、悪いアップリンク情報品質をマクロ基地局に能動的に報告し得、そして、マイクロ基地局のカバレージ下のユーザ装置の量に従って、マクロ基地局から、対応する帯域幅のアップリンク・リソースを要求し得る。したがって、高品質アップリンク伝送が達成され、アップリンク・リソース利用率が改善される。
【００４８】
この出願の実施形態は、第２受信器４０１と第３送信器４０２を含んでいる図４に示されているマクロ基地局をさらに開示する。
【００４９】
第２受信器４０１は、マイクロ基地局により送信されたアップリンク・リソース・コンフィギュレーション要求を受信するように構成されている。第３送信器４０２は、アップリンク・リソース・コンフィギュレーション要求に従って、アップリンク・リソース・コンフィギュレーション指示をマイクロ基地局に送信するように構成されている。アップリンク・リソース・コンフィギュレーション指示は、アップリンク・リソースをマイクロ基地局に割り当てるために使用され、アップリンク・リソースは、ユーザ装置により、アップリンク情報をマイクロ基地局に送信するために使用される。
【００５０】
オプションとして、この実施形態において、第３送信器４０２が、アップリンク・リソース・コンフィギュレーション指示をマイクロ基地局へ送信するように構成されている具体的な実装は、アップリンク・リソース・コンフィギュレーション指示をマイクロ基地局へ送信することであり得る。アップリンク・リソース・コンフィギュレーション指示は、アップリンク・リソースの開始フレーム番号とアップリンク・リソースのサブフレーム番号を含む。さらに、アップリンク・リソース・コンフィギュレーション指示は、シンボル位置と周波数ドメイン物理リソースブロック （Physical Resource Block, PRB）位置をさらに含み得る。
【００５１】
シンボル位置割り当ては、リソース利用率を改善するために、１つのタイムスロットの異なるシンボルを複数のマイクロ基地局に割り当てるという目的を達成し得る。図５に示されているように、マクロ基地局は、１つのフレームの異なるシンボルを第１高周波数基地局と第２高周波数基地局に別々に割り当ててもよい。したがって、１つのフレームは、２つの高周波数基地局に割り当てられ得る。アップリンク伝送とダウンリンク伝送が分離されている、すなわち、マイクロ基地局が、ダウンリンクデータの送信に高周波数を使用し、マクロ基地局がアップリンクデータの受信に低周波数を使用するシナリオにおいて、低周波数リソースは比較的少ないため、低周波数リソースの利用率が増加する。
【００５２】
オプションとして、この実施形態において、第２受信器４０１は、マイクロ基地局により送信されたアップリンク情報品質パラメータを受信するようにさらに構成されている。この場合において、この実施形態におけるマクロ基地局は、アップリンク情報品質パラメータに従って、アップリンク情報の品質を判定するように構成されている第２プロセッサ４０３を含み得る。第３送信器４０２は、アップリンク情報品質パラメータにしたがって、アップリンク情報の品質が悪いと判定された場合、アップリンク・リソース変更メッセージをマイクロ基地局へ送信するようにさらに構成され得る。アップリンク・リソース変更メッセージは、変更されたアップリンク・リソース指示を搬送する。
【００５３】
マイクロ基地局が高周波数基地局である場合、この実施形態におけるマクロ基地局は、低周波数アップリンク・リソースをマイクロ基地局に割り当て得るため、マイクロ基地局は、ユーザにより送信された低周波数ダウンリンクフィードバックを直接受信できる。これにより、ダウンリンクフィードバック遅延が削減され、マイクロ基地局の通信効率性が改善される。加えて、この実施形態におけるマクロ基地局は、アップリンク情報品質が高くない場合、マイクロ基地局のアップリンク・リソースを置き換えることができ、これにより、マイクロ基地局の通信品質が改善される。
【００５４】
この出願の実施形態は、アップリンク伝送制御方法をさらに開示する。この方法は、上述の実施形態において説明されたマイクロ基地局とマクロ基地局との間のインターアクションによりアップリンク伝送制御を完了するための具体的な手順を説明するために使用され得る。図６に示されているように、この方法は、具体的には、以下のステップを含む。
【００５５】
Ｓ６０１：マイクロ基地局は、アップリンク・リソース・コンフィギュレーション要求をマクロ基地局に送信する。
【００５６】
Ｓ６０２：マクロ基地局は、アップリンク・リソース・コンフィギュレーション要求に従って、アップリンク・リソース・コンフィギュレーション指示をマイクロ基地局に送信する。
【００５７】
アップリンク・リソース・コンフィギュレーション指示は、アップリンク・リソースをマイクロ基地局に割り当てるために使用され、アップリンク・リソースは、ユーザ装置により、アップリンク情報をマイクロ基地局へ送信するために使用される。
【００５８】
Ｓ６０３：マイクロ基地局は、ユーザ装置に、アップリンク・リソースを使用して、アップリンク情報を送信するように指示する。
【００５９】
この実施形態における方法によると、マイクロ基地局は、ユーザ装置により送信されたダウンリンクフィードバックを直接受信でき、これにより、マイクロ基地局のダウンリンク通信スループットを増加させる。
【００６０】
以下では、高周波数基地局とマクロ基地局を含み、アップリンク伝送とダウンリンク伝送が分離されているシナリオを例として使用して、図６に示されている方法を詳細に説明する。
【００６１】
図７に示されているこの出願の実施形態において開示された別のアップリンク伝送制御方法は以下のステップを含む。
【００６２】
Ｓ７０１：マイクロ基地局は、アップリンク・リソース・コンフィギュレーション要求をマクロ基地局に送信する。
【００６３】
具体的には、マイクロ基地局のカバレージ下のユーザの数が第１の値である場合、マイクロ基地局は、第１アップリンク・リソースを要求するためのコンフィギュレーション要求をマクロ基地局へ送信する。マイクロ基地局のカバレージ下のユーザの数が第２の値である場合、マイクロ基地局は、第２アップリンク・リソースを要求するためのコンフィギュレーション要求をマクロ基地局へ送信する。第１の値が第２の値より大きい場合、第１アップリンク・リソースの帯域幅は、第２アップリンク・リソースの帯域幅より大きく、第１情報が第２の値より小さい場合、第１アップリンク・リソースの帯域幅は、第２アップリンク・リソースの帯域幅より小さい。
【００６４】
Ｓ７０２：マクロ基地局は、アップリンク・リソース・コンフィギュレーション指示をマイクロ基地局へ送信し、アップリンク・リソース・コンフィギュレーション指示は、アップリンク・リソースの開始フレーム番号、アップリンク・リソースのサブフレーム番号、シンボル位置、及び周波数ドメイン・物理リソースブロック（ＰＲＢ）位置を含む。
【００６５】
Ｓ７０３：マイクロ基地局は、アップリンク・リソース・コンフィギュレーション・アクノリッジメッセージをマクロ基地局へ送信する。
【００６６】
Ｓ７０４：マイクロ基地局は、ダウンリンク情報をユーザ装置へ送信し、ダウンリンク情報は、アップリンク・リソースの指示情報を搬送する。
【００６７】
あるいは、マイクロ基地局は、アップリンク・リソースの指示情報をユーザ装置にブロードキャストしてもよい。
【００６８】
アップリンク・リソースの指示情報は、ＭＡＣレイヤ・コマンドを含む。ＭＡＣレイヤ・コマンドは、アップリンク・リソースのビデオ情報とアップリンク情報のタイプを搬送する。アップリンク情報にタイプは、ハイブリッド自動再送要求（ＨＡＲＱ）フィードバック、チャネル品質指標（ＣＱＩ）、又はプリコード化マトリクス指標を含む。
【００６９】
複数のユーザ装置が存在する場合、マイクロ基地局は、各ユーザ装置にアップリンク・リソースをまず割り当て、各ユーザ装置に、各ユーザ装置に割り当てられたアップリンク・リソースを使用してアップリンク情報を送信するように指示する。
【００７０】
Ｓ７０５：マイクロ基地局が、ユーザ装置により送信された受信されたアップリンク情報の品質が悪いと判定した場合、マイクロ基地局は、アップリンク情報品質パラメータをマクロ基地局へ送信する。
【００７１】
Ｓ７０６：マクロ基地局は、アップリンク情報品質パラメータに従って、アップリンク情報の品質が悪いと判定された場合、アップリンク・リソース変更メッセージをマイクロ基地局に送信し、アップリンク・リソース変更メッセージは、変更されたアップリンク・リソース指示を搬送する。
【００７２】
Ｓ７０７：マイクロ基地局は、アップリンク・リソース・コンフィギュレーション変更アクノリッジメッセージをマクロ基地局へ送信する。
【００７３】
この実施形態において開示された方法によれば、アップリンク情報品質が高くない場合、マイクロ基地局は、悪いアップリンク情報品質をマクロ基地局に能動的に報告してアップリンク・リソースの置換を要求し得、マイクロ基地局のカバレージ下のユーザ装置の量に従って、マクロ基地局から、対応する帯域幅のアップリンク・リソースを要求し得る。したがって、高品質アップリンク伝送が達成され、アップリンク・リソース利用率が改善される。
【００７４】
実施形態における方法の機能がソフトウェア機能ユニットの形態で実装され、独立した製品として販売又は使用されるならば、機能は、コンピュータデバイス可読記録媒体に格納され得る。このような理解に基づいて、先行技術に寄与する本発明の実施形態の一部又は技術的解決策のいくつかは、ソフトウェア製品の形態において実装されてもよい。ソフトウェア製品は、記憶媒体に格納され、コンピューティングデバイス（パーソナルコンピュータ、サーバ、又はネットワークデバイスであり得る）に、本発明の実施形態に説明されている方法のステップの全部または一部を実行するように指示するためのいくつかの命令を含む。上記記憶媒体は、ＵＳＢフラッシュドライブ、リムーバブル・ハードディスク、読み出し専用メモリ（ROM, Read-Only Memory）、ランダムアクセスメモリ（RAM, Random Access Memory）、磁気ディスク、又は光学ディスクなどのプログラムコードを格納することができる任意の媒体を含む。
【００７５】
本明細書の実施形態はすべて、進歩的に説明されており、実施形態における同一又は類似の部分に対し、これらの実施形態を参照することができ、各実施形態は他の実施形態との相違点に焦点を当てている。
【００７６】
上述した実施形態は、当業者が本発明を実装又は使用できるように説明されている。実施形態の様々な変更は、当業者には明らかであり、本明細書で定義される一般的な原理は、本発明の精神又は範囲から逸脱することなく他の実施形態において実装され得る。したがって、本発明は、本明細書において例示されるこれらの実施形態に限定されるものではなく、本明細書に開示される原理及び新規な特徴と一致する最も広い範囲に解釈されるものとする。
【符号の説明】
【００７７】
２０１  第１送信器
２０２  第１受信器
２０３  第２送信器
３０１  第１送信器
３０２  第１受信器
３０３  第２送信器
３０４  第２送信器
４０１  第２受信器
４０２  第３送信器
【図１】
2018506244.tif 000003
【図２】
2018506244.tif 000004
【図３】
2018506244.tif 000005
【図４】
2018506244.tif 000006
【図５】
2018506244.tif 000007
【図６】
2018506244.tif 000008
【図７】
2018506244.tif 000009
【国際調査報告】
2018506244.tif 000010
2018506244.tif 000011
2018506244.tif 000012
2018506244.tif 000013